(57)【要約】【課題】ミラー付扉の外観を向上させる。【解決手段】ミラー付扉１４は、前面に鏡板３２を有する扉本体３３と、発光体４５が収容された照明具本体４１を有する照明具３４と、を備えており、照明具本体４１が、扉本体３３の左右方向の端面に隣接して配置されている。【選択図】図４
2019004982.tif 000002
【特許請求の範囲】
【請求項１】
前面に鏡板を有する扉本体と、発光体が収容された照明具本体を有する照明具と、を備えており、
前記照明具本体が、前記扉本体の左右方向の端面に隣接して配置されている、ミラー付扉。
【請求項２】
前記鏡板の前面と、前記照明具の前面とが実質的に面一とされる、請求項１に記載のミラー付扉。
【請求項３】
前記鏡板を前側から支持する支持板が、前記扉本体の上下方向の端部に設けられ、当該支持板が、前記照明具本体の前側にまで左右方向に延長されている、請求項１又は２に記載のミラー付扉。
【請求項４】
前記照明具は、前記照明具本体から前記扉本体の後面側に向けて左右方向に突出し、前記扉本体の後面に取り付けられる固定部材をさらに有している、請求項１〜３のいずれか１項に記載のミラー付扉。
【請求項５】
前記照明具本体は、前後方向の幅よりも左右方向の幅の方が小さい、請求項１〜４のいずれか１項に記載のミラー付扉。
【請求項６】
前記発光体に電力を供給するための電源ユニットが、前記扉本体に設けられている、請求項１〜５のいずれか１項に記載のミラー付扉。
【請求項７】
前記電源ユニットの少なくとも一部が、前記扉本体の内部に埋設されている、請求項６に記載のミラー付扉。
【請求項８】
前面に開口を有するキャビネット本体と、前記キャビネット本体の前面開口を開閉自在に閉鎖する、請求項１〜７のいずれか１項に記載のミラー付扉とを備えている、ミラーキャビネット。
【発明の詳細な説明】
【技術分野】
【０００１】
本発明は、ミラー付扉及びミラーキャビネットに関する。
【背景技術】
【０００２】
洗面台の上方等に配置されるミラーキャビネットとして、特許文献１に記載されたものがある。このミラーキャビネットは、前面が開口し内部に化粧品等を収納可能なキャビネット本体と、このキャビネット本体の前面開口を閉じるミラー付扉とを備えている。キャビネット本体の内部は、２枚の仕切り板によって左右方向に３つの収納領域に区画され、各収納領域は、３枚のミラー付扉によってそれぞれ開閉可能に閉鎖されている。各ミラー付扉は、扉本体と、扉本体の前面に取り付けられた鏡板とを備えている。左右方向の中央に配置されたミラー付扉（以下、「中央ミラー付扉」ともいう）の左右両端部には、上下方向の高さに渡る範囲で照明装置が設けられている。具体的に、中央ミラー付扉の扉本体の前面に左右端部を残して鏡板が取り付けられ、扉本体の前面の左右端部に照明装置が取り付けられている。
【先行技術文献】
【特許文献】
【０００３】
【特許文献１】特開２００７−９８０３４号公報
【発明の概要】
【発明が解決しようとする課題】
【０００４】
特許文献１に記載された照明装置は、鏡板よりも前後方向に分厚く形成されているため、鏡板よりも前方に大きく突出する。そのため、中央ミラー付扉の外観が悪化するとともに、３枚のミラー付扉全体の一体感も損なわれる。
また、ミラー付扉の鏡板を拭き掃除するとき、照明装置が邪魔になって隣接するミラー付扉を連続的に拭くことができず、清掃作業が繁雑となる。
【０００５】
本発明は、上記の実情に鑑みてなされたものであり、外観の向上等を図ることができるミラー付扉及びミラーキャビネットを提供することを目的とする。
【課題を解決するための手段】
【０００６】
（１）本発明に係るミラー付扉は、
前面に鏡板を有する扉本体と、発光体が収容された照明具本体を有する照明具と、を備えており、
前記照明具本体が、前記扉本体の左右方向の端面に隣接して配置されている。
【０００７】
この構成によれば、照明具における照明具本体が扉本体の左右方向の端面に隣接して配置されているので、扉本体の前面、つまり鏡板の前面からの照明具の突出量を可及的に少なくすることができ、ミラー付扉の外観を向上させることができる。また、本発明のミラー付扉の左右方向に隣接して、照明具を備えない他のミラー付扉が配置される場合には、両ミラー付扉の一体感を高めることができ、前面の鏡板の清掃を連続的に行うことができる。なお、照明具は、扉本体の左右両側に設けられていてもよいし、片側に設けられていてもよい。
【０００８】
（２）好ましくは、前記鏡板の前面と、前記照明具の前面とが実質的に面一とされる。
このような構成によって、ミラー付扉の外観がより向上し、清掃作業がより容易となる。なお、「実質的に面一」とは、完全な面一だけでなく、面一と同等と考えられる程度に両前面の間の段差が小さい場合（例えば、段差が１ｍｍ以内）も含む。
【０００９】
（３）好ましくは、前記鏡板を前側から支持する支持板が、前記扉本体の上下方向の端部に設けられ、当該支持板が、前記照明具本体の前側にまで左右方向に延長されている。
このような構成によって、扉本体と照明具本体との境界の一部を支持板によって目隠しすることができ、両者の一体感をより高めることができる。
【００１０】
（４）好ましくは、前記照明具は、前記照明具本体から前記扉本体の後面側に向けて左右方向に突出し、前記扉本体の後面に取り付けられる固定部材をさらに有している。
このような構成によって、扉本体の後面側において固定部材を介して照明具を固定することが可能となり、固定部材を扉本体に取り付けるためのネジ等が、目に触れやすいミラー付扉の前面や左右端面に露出することがない。また、修理や交換等のために扉本体から照明具を取り外す場合、扉本体の後面側から容易に照明具を取り外すことができる。
【００１１】
（５）好ましくは、前記照明具本体は、前後方向の幅よりも左右方向の幅の方が小さい。
このような構成によって、照明具本体の左右幅を可及的に小さくしながら照明具本体の内部容積を十分に確保することができる。そのため、本発明のミラー付扉と、他のミラー付扉とを左右方向に並べて配置している場合に、左右方向の隣接するミラー付扉の間に配置される照明具の左右幅を可及的に小さくし、両ミラー付扉の一体感を損なわないようにすることができる。
【００１２】
（６）好ましくは、前記発光体に電力を供給するための電源ユニットが、前記扉本体に設けられている。
このような構成によって、ミラー付扉がミラーキャビネットに適用されている場合に、ミラーキャビネットからミラー付扉を取り外すことによって、照明具や電源ユニットの修理、交換等のメンテナンスを容易に行うことができる。
【００１３】
（７）好ましくは、前記電源ユニットの少なくとも一部が、前記扉本体の内部に埋設されている。
このような構成によって、扉本体からの電源ユニットの突出量を無くすか又は小さくすることができる。
【００１４】
（８）本発明に係るミラーキャビネットは、
前面に開口を有するキャビネット本体と、前記キャビネット本体の前面開口を開閉自在に閉鎖する上記のミラー付扉とを備えている。
【発明の効果】
【００１５】
本発明によれば、ミラー付扉及びミラーキャビネットの外観を向上させることができる。
【図面の簡単な説明】
【００１６】
【図１】本発明の一実施形態に係るミラーキャビネットを備えた洗面台の正面図である。
【図２】ミラーキャビネットの斜視図である。
【図３】図１のＡ−Ａ線断面図である。
【図４】図３におけるＢ部の拡大断面図である。
【図５】図２のＣ部におけるミラー付扉の拡大図である。
【図６】ミラー付扉の後面図である。
【発明を実施するための形態】
【００１７】
以下、図面を参照しながら好ましい実施の形態について説明する。
＜全体構成＞
図１は、本発明の一実施形態に係るミラーキャビネットを備えた洗面台の正面図である。
洗面台９１は、洗面カウンター９２と、洗面カウンター９２の下方に配置されたボックス状の下部キャビネット９３と、洗面カウンター９２の後部に立設された横長のバックパネル９４と、このバックパネル９４の上側に設けられたミラーキャビネット１０とを備えている。
【００１８】
下部キャビネット９３は、洗面所や浴室等で使用する洗剤、洗面具その他の備品を収納するために用いられ、床面の所要箇所に設置される。
洗面カウンター９２の中央部には洗面ボウル（図示省略）が設けられ、また、洗面カウンター９２上には、流量や水温を調節可能な水栓９６と、この水栓９６で調節された水を吐出させるシャワーヘッド９７が設けられている。水栓９６には、給水管と給湯管（図示省略）が繋げられており、シャワーヘッド９７から吐出された湯水が洗面ボウルで受けられて、下部キャビネット９３内の排水管で排出されるようになっている。
【００１９】
＜ミラーキャビネット１０の構成＞
図２は、ミラーキャビネットの斜視図、図３は、図１のＡ−Ａ線断面図である。
ミラーキャビネット１０は、キャビネット本体１１と、キャビネット本体１１の前側に設けられた複数のミラー付扉１３，１４，１５とを備えている。キャビネット本体１１は、天板２１、底板２２、左右側板２３、背板２４を備え、前面が開口したボックス状に形成されている。図３に示すように、キャビネット本体１１の内部は、２枚の仕切り板２５，２６によって左右方向に３つの収納空間Ｓ１，Ｓ２，Ｓ３に区画されている。また、各収納空間Ｓ１，Ｓ２，Ｓ３には、図示しない１又は複数の棚板が設けられている。３つの収納空間Ｓ１，Ｓ２，Ｓ３のうち中央の収納空間Ｓ２は、左右両側の収納空間Ｓ１，Ｓ３より左右方向の幅が広く形成されている。左右両側の収納空間Ｓ１，Ｓ３は、略同一の左右幅を有している。なお、本明細書においてはミラーキャビネット１０のミラー付扉１３，１４，１５が配置された側を前側、その反対側を後側として前後方向を規定する。また、前後方向に直交する水平方向を左右方向と規定する。
【００２０】
ミラー付扉１３，１４，１５は、３つの収納空間Ｓ１，Ｓ２，Ｓ３に対応して３枚設けられ、各ミラー付扉１３，１４，１５は、各収納空間Ｓ１，Ｓ２，Ｓ３を開閉自在に閉鎖する。左右両側のミラー付扉１３，１５は、正面視矩形状に形成された扉板３１と、扉板３１の前面に設けられた鏡板３２とを有する扉本体３３からなる。また、中央のミラー付扉１４は、扉本体３３に加えて照明具３４を備えている。
【００２１】
ミラーキャビネット１０を正面から見て左側に配置されたミラー付扉１３は、その右側部が一方の仕切り板２５にヒンジ部材３６を介して取り付けられており、当該ヒンジ部材３６を支点として前後方向に揺動自在に構成されている。右側に配置されたミラー付扉１５は、その左側部が他方の仕切り板２６にヒンジ部材３６を介して取り付けられており、当該ヒンジ部材３６を支点として前後方向に揺動自在に構成されている。中央のミラー付扉１４は、その右側部が他方の仕切り板２６にヒンジ部材３６を介して取り付けられており、当該ヒンジ部材３６を支点として前後方向に揺動自在に構成されている。そして、各ミラー付扉１３，１４，１５を図３の２点鎖線のように前方に揺動させることによってキャビネット本体１１の各収納空間Ｓ１，Ｓ２，Ｓ３を開放することができる。
【００２２】
＜照明具３４の構成＞
照明具３４は、中央のミラー付扉１４における扉本体３３の左右の両端面において、扉本体３３の上下の高さ全体にわたって設けられ、上下方向に細長い長尺形状に形成されている。
図４は、図３におけるＢ部の拡大断面図である。照明具３４は、照明具本体４１と、固定板（固定部材）４２とを備えている。照明具本体４１は、扉本体３３の左右方向の端面に隣接して配置されている。照明具本体４１は、平面視で左右方向の幅よりも前後方向の幅の方が大きい略矩形状に形成されている。照明具本体４１は、本体ケース４３と、カバー部材４４とを有している。本体ケース４３は、例えばアルミ合金製であり、押出成形によって形成されている。本体ケース４３は、後面板４３ａ、左右の側面板４３ｂとを有し、前方に開放した形状である。本体ケース４３の内部には取付溝４３ｃが形成されている。本体ケース４３の左右両側面には、係止溝４３ｄが形成されている。
【００２３】
照明具本体４１の内部には、発光体４５が収容されている。発光体４５は、プリント基板４５ａと、プリント基板４５ａ上に実装された複数の発光素子４５ｂとを有する。プリント基板４５ａは、その両端部が取付溝４３ｃに嵌合されることによって本体ケース４３に取り付けられ、支持されている。
【００２４】
カバー部材４４は、発光素子４５ｂの光を透過することができる透光性を有する合成樹脂材により形成されている。カバー部材４４は、前面板４４ａと、左右の側面板４４ｂとを有し、後方に開放した形状に形成されている。側面板４４ｂの後端には、内側に突出する係止突起４４ｃが形成されている。カバー部材４４は、係止突起４４ｃを本体ケース４３の係止溝４３ｄに係止することによって本体ケース４３に着脱可能に取り付けられている。
【００２５】
固定板４２は、照明具本体４１の本体ケース４３の後面板４３ａから扉本体３３の後面側へ向けて左右方向の内側に突出し、扉本体３３の後面に沿って配置された板状体である。本実施形態の固定板４２は、アルミ合金製であり、本体ケース４３と一体に形成されている。つまり、固定板４２は、本体ケース４３とともにアルミ合金の押出成形により形成されている。
【００２６】
固定板４２には、複数のネジ孔４２ａが上下方向に間隔をあけて形成されている。各ネジ孔４２ａには固定ネジ（固定具）４７が挿通され、固定ネジ４７は扉本体３３の後面にねじ込まれている。固定板４２が固定ネジ４７によって扉本体３３の後面に固定されることによって、扉本体３３に照明具３４が取り付けられる。
照明具本体４１は、扉本体３３の左右方向の端面、具体的には鏡板３２の端面に接触した状態で取り付けられる。なお、図４に示す例では、照明具本体４１と扉板３１との間に僅かに隙間が形成されているが、両者は互いに接触していてもよい。
【００２７】
照明具３４を扉本体３３に取り付けるための固定ネジ４７は、扉本体３３の後面に取り付けられ、ミラー付扉１４の前面や左右端面等の外部から目に触れやすい箇所には露出しないので、ミラー付扉１４の外観を悪化させることはない。また、照明具３４は、本体ケース４３とカバー部材４４とを組み立てた完成品の状態で簡単に扉本体３３に取り付けることができ、また取り外すことができる。扉本体３３の左右端面の後エッジ部３３ａは、固定板４２と照明具本体４１とによって覆われ、これらによって保護されているので、ミラー付扉１３の開閉時(特に閉鎖時）等に後エッジ部３３ａが周囲の物に衝突して傷ついてしまうことがない。
【００２８】
照明具本体４１は、扉本体３３の前後方向の厚さと略同じかやや大きい前後方向の幅を有している。また、照明具本体４１の前面４４ａ１は、正面側へ緩やかに突出する円弧面（例えば、半径９０ｍｍ〜１００ｍｍの円弧面）に形成されている。そして、照明具本体４１の前面４４ａ１は、扉本体３３の鏡板３２の前面３２ａと実質的に面一に配置されている。具体的に、照明具本体４１の前面４４ａ１における前端部と鏡面３２とが完全に面一か、又は面一と同等と考えられる僅かな段差（例えば１ｍｍ以内の段差）をもって配置されている。そのため、ミラー付扉１４の前面にはほとんど凹凸が無く、全体的に平坦に形成されている。したがって、照明具３４を備えていてもミラー付扉１４の外観が損なわれることがない。なお、照明具本体４１の前面４４ａ１は、円弧面ではなく平坦面であってもよい。
【００２９】
また、図２に示すように、左右両側のミラー付扉１３，１５の前面と、中央のミラー付扉１４の前面とも実質的に面一である。したがって、ミラーキャビネット１０は、全体として凹凸がほとんど無い一体感のある前面を有している。そのため、外観が向上されるとともに、ミラーキャビネット１０の前面（鏡板３２の前面３２ａ）の拭き掃除を、左右及び中央のミラー付扉１３，１４，１５全体にわたって連続的に行うことができ、清掃作業が容易となる。
【００３０】
また、中央のミラー付扉１４において、照明具３４は、扉本体３３の左右両側の端面に隙間無く隣接して配置されている。そのため、ミラーキャビネット１０の前面においては、左右両側のミラー付扉１３，１５と、中央のミラー付扉１４における照明具３４との間のみに僅かな隙間が形成される。そのため、ミラーキャビネット１０の前面全体における外観が向上される。
【００３１】
図２に示すように、各ミラー付扉１３，１４，１５の上端と下端とには、鏡板３２を前側から押さえて位置を規制するためのミラーサッシュ４８が取り付けられている。図５は、図２のＣ部におけるミラー付扉１４の拡大図である。ミラーサッシュ４８は、扉本体３３の上端面に配置される上板４８ａと、上板４８ａの前端から下方に折れ曲がる前板４８ｂと、上板４８ａの後端から下方に折れ曲がる後板４８ｃとからなり、側面視略コの字状に形成されている。また、ミラーサッシュ４８は、上板４８ａが固定ネジ４９によって扉本体３３に固定されている。前板４８ｂは、扉本体３３の鏡板３２の前側に配置され、鏡板３２を支持することによって扉板３１から前方へ外れてしまうのを防止する支持板（位置規制板）として機能している。
【００３２】
このミラーサッシュ４８は、扉本体３３から左右方向の外側に延長されて照明具３４に到り、照明具３４の上面、上端部前面、及び上端部後面を覆っている。そのため、ミラー付扉１４の上端部における扉本体３３と照明具３４との境界が目隠しされ、扉本体３３と照明具３４との一体感が増し、外観が向上されている。なお、ミラー付扉１４の下端部におけるミラーサッシュ４８についても、上端部におけるミラーサッシュ４８と同様の構造を有し、上下方向に反転した状態で用いられる。また、照明具３４における照明具本体４１の上端及び下端は、キャップ４６で塞がれている。
【００３３】
図６は、中央のミラー付扉１４の後面図である。このミラー付扉１４の後面の上部には、電源収容部５０が設けられている。具体的には、図３にも示すように、ミラー付扉１４における扉板３１には、後面に開口部された収容凹部５１が形成され、この収容凹部５１がカバー部材５２によって閉鎖されている。カバー部材５２は、扉本体３３の後面に取付ねじ等によって着脱自在に取り付けられている。カバー部材５２は、扉本体３３の後面よりも僅かに突出している。
【００３４】
収容凹部５１内には、照明具３４に電力を供給するための電源ユニット５３が収容されている。電源ユニット５３は、商用電源からの交流電圧を照明具３４に適した直流電圧に変換するコンバータ回路等を有する回路基板を含む。
【００３５】
本実施形態では、照明具３４とともに電源ユニット５３がミラー付扉１４に設けられているので、例えば、ミラー付扉１４をキャビネット本体１１から取り外すことによって、照明具３４や電源ユニット５３の交換や修理などのメンテナンスを容易に行うことができる。また、電源ユニット５３は、扉本体３３内に埋設されているので、扉本体３３から大きく突出することはなく、外観の悪化を抑制することができるとともに、キャビネット１０内の収納空間Ｓ２を侵食することがほとんど無い。また、カバー部材５２は扉本体３３に着脱自在に取り付けられているので、電源ユニット５３の修理や交換等のメンテナンスを容易に行うことができる。
なお、電源ユニット５３は、その一部が扉本体３３内に収容され、他の一部が扉本体３３から突出していてもよい。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
例えば、上記実施形態のミラーキャビネット１０は、３枚のミラー付扉１３，１４，１５のうち中央のものに照明３４が設けられていたが、左右両側のものに照明が設けられていてもよい。この場合、例えば、左右のミラー付扉１３，１５における、中央のミラー付扉１４に隣接する側辺のみに照明が設けられていてもよい。
【００３７】
また、上記実施形態のミラーキャビネット１０は、３枚のミラー付扉１３，１４，１５を備えていたが、照明具３４を有するミラー付扉１４を含む、１〜２枚のミラー付扉、又は、４枚以上のミラー付扉を備えたものであってもよい。
【００３８】
また、照明具３４は、ミラー付扉の左右両端に限らず、左右片側のみに設けられていてもよい。
照明具３４は、ＬＥＤからなる発光素子を備えたものに限らず、蛍光灯又は発熱電球を備えたものであってもよい。
【００３９】
照明具３４における固定板４２は、照明具３４の上下方向の長さ全体に設けられていなくてもよく、長さ方向に間隔をあけて複数箇所に設けられていてもよい。
ミラーキャビネット１０は、洗面台３７とともに設置されるに限らず、単独で設置されるものであってもよい。
【符号の説明】
【００４０】
１０      ：ミラーキャビネット
１１      ：キャビネット本体
１４      ：ミラー付扉
３２      ：鏡板
３２ａ    ：前面
３３      ：扉本体
３４      ：照明具
４１      ：照明具本体
４４ａ１  ：前面
４５      ：発光体
４８      ：ミラーサッシュ
４８ｂ    ：前板（支持板）
５３      ：電源ユニット
【図１】
2019004982.tif 000003
【図２】
2019004982.tif 000004
【図３】
2019004982.tif 000005
【図４】
2019004982.tif 000006
【図５】
2019004982.tif 000007
【図６】
2019004982.tif 000008